(57)【要約】      （修正有）【課題】今後の走行に伴う燃費に関する情報を適切に予測する車載機器を提供する。【解決手段】車両のＯＤＢ２端子に接続ケーブル２２を接続し、制御部１８は車両から定期的に瞬間燃費を求めるための情報と残燃料の情報を取得し、残燃料から得た燃料の消費量とその時の走行距離から正確な燃費を求めるとともに補正係数を求め、以後取得した瞬間燃費を補正する。制御部は、ＧＰＳ受信器８から取得した位置情報に基づき、走行している道路が高速道路か一般道路かを認識し、道路種別ごとに補正後の瞬間燃費の平均を求め記録する。現在走行中の道路種別に関連付けられた上記の平均と、残燃料からその道路をそのまま走行した場合の走行可能な距離を求め、表示部５に表示する。【選択図】図２
2015096850.tif 000002
【特許請求の範囲】
【請求項１】
燃費情報を求める燃費情報取得手段と、
前記燃費に影響を与える要素別に燃費情報を記憶する記憶手段と、
走行中の領域が前記燃費に影響を与える要素のいずれに該当するかを判定する機能と、前記燃費情報取得手段で求めた前記走行中の領域の燃費情報を、前記判定によって該当するとされた要素の燃費情報として前記記憶手段に格納する機能と、今後の走行予定の領域が該当する前記要素の燃費情報を前記記憶手段から取得し前記今後の走行に基づく燃料の消費に関する予測を行う機能と、前記要素別に記憶した燃費情報のうち、現在の走行状態に関連する燃費情報と、取得した燃料の単価とに基づき、単位距離走行するのに要する燃料費を求める機能と、を有する制御手段と、
前記予測した結果を報知する機能と、前記求めた単位距離走行するのに要する燃料費を報知する機能と、を備え、
前記予測は、今後の走行予定の領域に該当する要素の燃費情報と、車両から取得した残燃料に関する情報とから走行可能距離を求めるものであること
を特徴とする車載機器。
【請求項２】
前記単位距離走行するのに要する燃料費は、走行にともない更新して表示すること
を特徴とする請求項１に記載の車載機器。
【請求項３】
前記単位距離は、１ｋｍであること
を特徴とする請求項１または２に記載の車載機器。
【請求項４】
前記燃料の単価は、ユーザが燃料を給油した際の価格を入力した値を取得したものを用いること
を特徴とする請求項１または２に記載の車載機器。
【請求項５】
前記燃料の単価は、現在位置の周辺の燃料の標準価格を取得したものを用いること
を特徴とする請求項１または２に記載の車載機器。
【請求項６】
前記燃料費は、現在走行中の交通関連情報に基づくものと、前記走行中の交通関連情報と異なる交通関連情報に基づくものを求め、その求めた複数の燃料費を併記して表示する機能を備えること
を特徴とする請求項１〜５のいずれかに記載の車載機器。
【請求項７】
請求項１〜６のいずれかに記載の車載機器の機能をコンピュータに実現させるためのプログラム。
【発明の詳細な説明】
【技術分野】
【０００１】
本発明は、車両の燃費を求め、報知を行なう車載機器等に関するものである。
【背景技術】
【０００２】
車両に搭載され、その車両の運転者等に各種の情報を提供する車載機器の一つとして、燃費計がある。燃費計により、現在走行中の燃費（瞬間燃費）がリアルタイムでわかれば、運転操作と燃費の相関を理解しやすく、燃費の良い運転を心がけることが容易にでき、省エネにもなり好ましい。
【０００３】
この燃費計は、車両から出力される情報に基づいて燃費を算出し、その算出結果を表示するものである。すなわち、燃費は、
燃費＝走行距離／消費燃料  ［ｋｍ／リットル］
により求めることができる。そして、走行距離は、例えば、一定距離走行する毎に車両から出力される車速パルスを、車両から取得し、取得した車速にこの一定距離を乗じて求めることができる。また、消費燃料は、吸入空気量やインジェクションを開いている時間から求めることができる。
【０００４】
但し、実際には、吸入空気量等に基づいて推定する消費燃料の値は、実際のものと異なるため、上記の式に基づいて求めた燃費は、現実の値とずれを生じる。そこで、通常は、実際に走行した距離と、その走行するために消費した燃料の総量に基づいて補正係数を求め、上記の燃費を求める式に補正係数を掛けることで、実際の値に近い燃費を求めることが行われる。実際に消費した燃料の総量は、一度満タンに給油した後、走行し、次に給油するときも満タンにする。そして、当該次に給油した際の給油量が、消費した燃料の総量となる。また、その期間に走行した距離は、例えば、最初に給油する際に車両に実装されている走行距離のメータをリセットし、次に給油した際の走行距離から求めることができる。燃費を求め、表示する車載機器としては、例えば特許文献１に開示された技術がある。
【０００５】
また、特許文献２には、燃料噴射パルスから得られる燃料消費量と、走行距離から燃費を表示する装置において、燃料価格を入力し、消費燃料の金額を表示させたり、区間毎の消費燃料の金額を表示させる技術が開示されている。
【先行技術文献】
【特許文献】
【０００６】
【特許文献１】特開平１１−１８０１８５号公報
【特許文献２】特開２００７−  １２１２５１号公報
【発明の概要】
【発明が解決しようとする課題】
【０００７】
上述した従来の装置では、単純に走行距離と消費燃料に基づいて燃費を求め、それに基づいて消費燃料の金額を報知していたため、提供する情報に正確さが欠けており、ユーザに対して適切な情報提供をすることができなかった。すなわち、例えば、高速道路と一般道路では燃費は違うし、渋滞の有無によっても燃費は異なる。従って、過去に実際に消費した燃料の消費量から走行に伴い消費した燃料の金額を報知することはできても、今後の走行に伴う燃費に関する情報を予測することは困難であるという課題がある。
【課題を解決するための手段】
【０００８】
上述した目的を達成するために、本発明に係る車載機器は、（１）燃費情報を求める燃費情報取得手段と、燃費に影響を与える要素別に燃費情報を記憶する記憶手段と、走行中の領域が前記燃費に影響を与える要素のいずれに該当するかを判定する機能と、前記燃費情報取得手段で求めた前記走行中の領域の燃費情報を、前記判定によって該当するとされた要素の燃費情報として前記記憶手段に格納する機能と、今後の走行予定の領域が該当する前記要素の燃費情報を前記記憶手段から取得し前記今後の走行に基づく燃料の消費に関する予測を行う機能を有する制御手段と、その予測した結果を報知する報知手段を備える。
【０００９】
燃費情報取得手段は、下記の（７）に示す構成を採るとより正確になり好ましいが、車両から瞬間燃費の情報を取得するものでも良いし、各種のもので実現できる。すなわち、燃費情報を求めるとは、取得した情報に基づいて演算処理をして算出するものはもちろんのこと、取得した情報をそのまま用いる場合も含む。
【００１０】
燃費に影響を与える要素別に燃費情報を記憶するとは、例えば、燃費に影響を与える要素別に設けた記憶領域に燃費情報を記憶するようにしてもよいし、燃費に影響を与える要素を特定する情報と関連付けて燃費情報を記憶するようにしてもよい。要素を特定する情報としては、例えば交通関連情報があげられる。交通関連情報は、下記の（３），（４）にも例示列挙したように、燃費が異なる領域を区分けするためのものである。地域・場所的なものもあれば、渋滞の有無や日時などの時間的なものもある。時間的なものの場合、同一箇所であっても交通関連情報としては異なるものとして区別されることがある。時間的なものとしては、例えば、週末が混雑する場合、土日・祝日に走行した場合と平日に走行した場合とで異なる要素として記録管理するとよい。つまり、同じ道路を走行した場合でも、土日・祝日に走行して求めた燃費情報と、平日に走行して求めた燃費情報はそれぞれ別々に記録し、予測をする場合でも、今後の走行予定の曜日から、いずれの要素かを判断し、走行予定が平日の場合には、その平日についての燃費情報に基づいて処理をする。また、朝晩の通勤時等、一定の時間帯で渋滞しそれ以外の時間帯では渋滞しないような場合、当該一定の時間帯とそれ以外の時間帯は異なる要素とするとよい。
【００１１】
燃料の消費に関する予測は、燃料の消費量といった直接的なものはもちろんのこと、燃料費や、さらには、燃料の消費に伴い走行可能な距離のように間接的に関連するものとしてもよい。また、領域は、有る交差点などのピンポイントのように狭いものから、市街地・郊外のように比較的広いエリアがある。また、一般道路や高速道路というように道路種別により区分けされる領域としてもよい。この道路種別のように具体的な位置に関連付けていない要素の場合、例えば別の一般道路で走行した際に求めて記録した燃費情報に基づいて、初めて走行する一般道路についての予測をするとよい。
【００１２】
さらに、特定の道路（渋滞が多く発生する国道○○号線）や、特定の高速道路（○△高速道路）、さらには、それらの道路の中でも特定の区間などとしてもよい。このように具体的な位置情報に関連付けられた領域については、過去に同一の道路を走行したときに記録した燃費情報が存在する場合には、その情報を用いることで、よりその場所の事情にあった予測ができる。
【００１３】
さらに要素を特定する情報は、交通関連情報に限ることはなく、これ以外にも、例えば、車両の状態（ハイブリッドカーにおけるバッテリーの充電量）、運転者の区別などとしてもよい。
【００１４】
求めた燃費情報を燃費に影響を与える要素別に関連付けて記録するため、その後に走行に伴う予測を行うに際し、今後の走行予定の道路（領域）が該当する要素の燃費情報を用いて予測することで、より正確な予測が行える。燃料の消費に関する予測は、燃費情報を用いて行うものであるので、例えば、走行可能な距離であったり、ある地点まで走行する際にかかる燃料費等であったりする。
【００１５】
（２）車両から残燃料に関する情報を取得する残燃量情報取得手段を備え、前記予測は、今後の走行予定の領域に該当する要素の燃費情報と、取得した残燃料に関する情報とから走行可能距離を求めるものとするとよい。燃費は、走行状態によって大きく変わる。すなわち、高速道路と一般道路のように道路種別が異なると燃費は異なるし、同じ道路であっても渋滞の有無などによっても異なる。また、道路種別が同じでも、平坦な道と、登り坂と、下り坂ではそれぞれ燃費が異なる。そこで、今後の走行予定の道路と同じ燃費に影響を与える要素（交通関連情報等）に関連付けられて記憶した燃費情報に基づいて走行可能な距離を予測することで、正確な走行可能な距離を求めることができる。
【００１６】
（３）前記燃費に影響を与える要素は、地図情報に基づいて前記燃費が異なる領域を特定する情報、交通の状態に基づいて前記燃費が異なる領域を特定する情報の少なくとも一つとすることができる。一般に、所望の速度範囲内で、一定速度を保って走行する走行状態では燃費が良くなり、加速・減速（急発進・急停止を含む）のように走行速度を変化させたり、一時停止を頻繁に行ったりする走行状態では燃費は悪くなる。この種の走行状態を決定する地図情報に基づくものとしては、高速道路と一般道路のような道路種別や、信号・交差点等の一時停止する可能性のある地点が多い市街地と、それらの地点が相対的に少ない郊外や、坂道などがある。また、交通の状態は、渋滞の有無などがある。渋滞の有無は、実際に現在リアルタイムで生じているか否かの情報はもちろんのこと、渋滞予測でも良い。渋滞予測は、具体的な日時情報で特定されるある期間だけ渋滞する領域を特定するものでも良いし、定常的に渋滞が多発する道路では、常時渋滞が発生する領域と特定するものでもよい。
【００１７】
（４）上記の（３）の発明を前提とし、前記地図情報は、高速道路か一般道路かを区別する道路種別情報，登り坂と下り坂の区別をする坂情報，市街地と郊外を区別する情報の少なくとも１種とするとよい。
【００１８】
（５）目的地までの推奨ルートを求め、その推奨ルートに従ってガイドを行うナビゲーション機能を備え、前記推奨ルートは、目的地までのルートを構成する道路の各区間に該当する要素に関連付けられた燃費情報を用いて当該区間で消費する燃料を求め、前記目的地までの全区間で消費する総燃料が少ないものを優先して決定するものとするとよい。目的地までのルートを構成する道路の各区間において、その区間の燃費に影響を与える要素に関連付けて記憶されている燃費情報を用いて当該区間で消費する燃料を求める。そして、全ての区間で消費する燃料を求め、その総和により１つのルートの消費する燃料を求める。かかる消費する燃料が少ないルートを推奨ルートとすることで、燃料消費が少ないエコ運転で走行できるルートを容易に見つけることができる。そして、実際に走行するルートの各場所における要素に関連付けられた燃費情報に基づいて目的地までに走行する際に消費する燃料の総量を求めるため、実際の値に近くなり、より正しい消費燃料の少なくなる推奨ルートを報知することになる。燃費に影響を与える要素として、単純に一般道路と高速道路とを区別し、一般道路用の燃費情報と高速道路用の燃費情報を分けて記録している場合、目的地までのルートを構成する道路が全て一般道路用であれば、全区間が同じ要素（一般道路）となるので、当該目的地までの道路の距離と、一般道路の燃費情報から全区間で消費する総燃料を求めることになる。また、途中に高速道路が存在している場合、スタート地点から高速道路の入り口までの区間について、一般道路に関連付けられた燃費情報に基づいてその区間で消費する燃料を求め、高速道路の区間について、高速道路に関連付けられた燃費情報に基づいてその区間で消費する燃料を求め、さらに高速道路の出口から目的地までの区間について、一般道路に関連付けられた燃費情報に基づいてその区間で消費する燃料を求める。そして、制御手段は、それら各区間で消費する燃料の総和を求め、全区間で消費する総燃料を求める。
【００１９】
また、上述したように、要素を細かく分けて燃費情報を管理した場合、制御手段は、例えば同じ要素に該当する道路の区間ごとにその要素の燃費情報を読み出し、その区間の走行距離から当該区間で消費する燃料を求め、次いで、求めた各消費する燃料の総和を求める。
【００２０】
（６）上記の（５）の発明を前提とし、燃料の単価を取得する手段を備え、前記制御手段は、前記目的地までのルートを構成する道路の各区間において、その区間に該当する要素に関連付けられた燃費情報を用いて当該区間で消費する燃料を求めるとともに前記目的地までの全区間で消費する総燃料を求め、その総燃料と前記燃料の単価から燃料費を求める機能を備えるとよい。燃料の単価を取得する手段は、例えば、給油したユーザがスイッチ手段・タッチパネル・リモコンなどの入力手段を操作して直接単価を数値情報として入力したのを受け付けるものでもよいし、通信その他の手段で標準価格等を取得するものでも良い。実際に走行するルート上に設定されている燃費に影響を与える要素に関連付けられた燃費情報に基づいて目的地までに走行する際に消費する燃料の総量（総燃料）を求めることができるので、求めた総燃料は正確なものとなり、それに伴い求めた燃料費も実際のものに近くなる。その燃料費を報知とすることでユーザは、具体的にかかる燃料費を知ることができるので、より燃料費を抑えるエコ運転をさせるための情報提供として適する。
【００２１】
（７）前記燃費情報取得手段は、車両から瞬間燃費の情報と、残燃料に関する情報を取得する取得手段と、走行距離を求める走行距離算出手段と、取得した前記残燃料に関する情報から特定される燃料の消費量と、前記走行距離算出手段で求めた走行距離から実際の燃費を算出し、その実際の燃費に基づいて前記瞬間燃費の情報に基づいて求められる瞬間燃費を補正する手段と、を備え、前記燃費情報は、その補正された瞬間燃費に基づいて設定するとよい。上記の取得手段は、（２）の発明を前提とした場合には、残燃量情報取得手段と兼用することができる。
【００２２】
走行距離算出手段は、例えば、実施形態のようにＧＰＳ受信器を備える場合、車両の位置情報の履歴から移動距離を求めるものにより実現できる。また、車両から車速パルス等の走行距離を求めるための情報を取得し、それに基づいて算出するものでも良い。残燃料に関する情報としては例えば残燃料の情報そのものを用いるとよい。車両から得られる実際の燃料の使用量と、その間の走行距離から、比較的直近の正確な平均燃費を求めることができる。車両から得られる瞬間燃費に関する情報は、そのときの正確な瞬間燃費ではなく実際のものとある程度ずれを生じているが、上記の正確な平均燃費を用いて取得した情報に基づく瞬間燃費を補正処理することで、実際の瞬間燃費に近い、より正確な瞬間燃費の補正データ（補正後のデータ（以下、同様））を求めることができる。その補正した瞬間燃費は、より正確であるため、運転者は直前の運転の燃費に与える影響を正しく理解することができ、省エネ・エコ運転を促すのに適する。この発明は、車両から出力される残燃料の情報を取得し、それに基づいて実際の平均燃費を求め、求めた平均燃費を用いて瞬間燃費を補正するようにしたので、現在走行中の状況にあった補正を行い、正確な瞬間燃費を求めることができる。
【００２３】
（７ａ）前記制御手段は、取得した前記残燃料に関する情報から特定される燃料の使用量と、前記走行距離算出手段で求めた前記使用量の燃料を消費する期間の走行距離から実際の燃費を算出し、その実際の燃費と前記瞬間燃費の情報に基づいて補正係数を求め、その補正係数を求めた以降に前記取得手段で取得した前記瞬間燃費の情報に基づき求められる瞬間燃費をその補正係数で補正するものとすることができる。瞬間燃費の情報に基づくとは、例えば、瞬間燃費の情報から求められる前記期間の平均燃費または瞬間燃費の平均などを利用することができる。ある期間に走行した走行距離は、走行距離算出手段で精度良く求めることができる。そして、その期間での燃料の使用量は、残燃料に関する情報から精度良く求めることができる。また、同じ期間で瞬間燃費を求め続け、その期間の瞬間燃費の平均値を求める。そして、瞬間燃費が正確であれば、上記の残燃料に基づく平均燃費と瞬間燃費の平均値は一致或いはほぼ一致するが、通常はずれるので、そのずれを修正するための補正係数を求める。よって、補正係数を求めた以降は、瞬間燃費に対して補正係数を用いて補正することで実際の値に近いものに修正できる。実施形態では、車両から出力される残燃料の情報の分解能が０．５リットルであることから、定期的に残燃料の情報を取得し、残燃料の値が前回変わってから今回変わる（分解能分だけ減少する）までの期間を１つの補正対象期間として繰り返し補正係数を求めるようにしたが、複数回分（所望の燃料の使用量分）をまとめて１つの期間として補正係数を求めるようにしても良い。
【００２４】
（７ｂ）上記の（７ａ）の発明を前提とし、前記補正係数は、前記期間の前に前記制御手段で求めた補正係数で補正した瞬間燃費を加味して求めるとよい。ここで、前記期間の前に前記制御手段で求めた補正係数で補正した瞬間燃費を加味して求める方法の一例としては、前記期間の前に前記制御手段で求めた補正係数で補正した瞬間燃費の平均を用いて補正係数を求める方法をとるとよい。もちろんこれ以外の方法でも良く、例えば、前の期間において補正された値に対して、今回さらに補正を加えるようにして、補正係数を求めればよい。このようにすると、補正係数により補正された瞬間燃費は、徐々に実際の残燃料に基づく平均燃費に近づくこととなる。
【００２５】
（７ｃ）現在走行している道路の道路種別を判定する手段を備え、前記制御手段は、現在走行中の道路と同じ道路種別の道路を走行して得られた前記実際の燃費に基づいて瞬間燃費の補正をするように構成すると良い。また、（２）の発明を前提とすると、前記制御手段は、走行している道路の道路種別ごとに前記補正係数を求め、現在走行している道路の道路種別と同じ道路種別についての補正係数に基づいて補正するとよい。道路種別は、例えば高速道路と一般道路のように２種類に分けるものでも良いし、一般道路を郊外と市街地などさらにわけてもよい。道路種別の判定は、例えば、高速道路と一般道路を区別する場合、高速道路は有限で有ることから、その位置情報を記録しておいたデータを記憶保持しておき、現在の位置情報から高速道路か否かを判別することができる。また、高速道路の場合には、一般道路に比べて平均の走行速度も速く、また、一時停止することもないので連続走行している期間が長いという特徴がある。そこで、係る特徴を認識しどちらを走行しているかを判別するようにしてもよく、その他各種の判定方式を採ることができる。例えば高速道路と一般道路では、通常燃費が異なる。従って、異なる道路種別の道路を走行したときの残燃費の情報に基づいて補正しても、正しい補正処理をすることは難しい。そこで、現在走行している道路と道路種別と同じ道路を走行しているときの残燃料の情報に基づいて補正するように制御することでより正確な瞬間燃費を求めることができる。
【００２６】
（７ｄ）上記（７ａ），（７ｂ）の発明を前提とし、前記制御手段は、現在走行している道路の道路種別を判定する手段を備え、前記補正係数は道路種別ごとに求め、前記瞬間燃費の補正は、現在走行中の道路の道路種別に対応する補正係数に基づいて行うようにしてもよい。同じ道路種別の道路を走行しているときに得られた補正係数を用いて補正処理することで、上記の（７ｃ）と同様に正確な瞬間燃費を求めることができる。また、走行する道路の道路種別が切り替わった場合でも、これから走行する道路と同じ道路種別についての補正係数が存在する場合、走行直後から比較的高精度な補正処理を行い、正確な瞬間燃費を求めることができる。
【００２７】
（７ｅ）前記瞬間燃費の情報は、瞬間燃費そのもの或いは瞬間燃費を求めるための情報のいずれかとすることができる。車両から出力される車両情報は、車種により異なり、瞬間燃費が出力されてくる場合には、その情報をそのまま瞬間燃費として使用することができる。また、瞬間燃費を求めるための情報のように瞬間燃費に間接的に関係する情報も瞬間燃費の情報となり、一例としては、燃料噴射量や、その燃料噴射量と相関性が高い吸入空気量や、燃料を噴射していることを特定するためのインジェクションの開閉状態を通知する情報などがある。
【００２８】
（７ｆ）補正後の瞬間燃費を報知する手段は、求めた値を数値表示する機能，時系列でまとめてグラフ表示する機能，燃費を複数のレベルに分け求めた補正後の瞬間燃費の属するレベルを報知する機能の少なくとも１つを備えるとよい。表示部等の視覚を利用して報知するものが、ユーザは直感的に燃費の情報を知ることができて好ましいが、音声などを利用する報知態様でも良い。
【００２９】
（８）本発明の婦グラムは、上記の（１）〜（７）のいずれかに記載の車載機器における制御手段としての機能をコンピュータに実現させるためのプログラムとするとよい。
【発明の効果】
【００３０】
本発明によれば、走行可能な距離や、燃料費等の今後の走行に伴う燃費に関する情報を予測することが適切に行える。
【図面の簡単な説明】
【００３１】
【図１】本発明の好適な一実施形態であるレーダー探知機の構成を示す図である。
【図２】レーダー探知機のブロック図である。
【図３】待ち受け画面・レーダースコープ・ＧＰＳ警報の表示例を示す図である。
【図４】レーダー波警報機能における警報画面の表示例を示す図である。
【図５】燃費情報記憶部のデータ構造の一例を示す図である。
【図６】燃費計機能における表示例を示す図である。
【図７】燃費計機能における表示例を示す図である。
【図８】燃費情報管理機能における表示例を示す図である。
【図９】本発明の好適な別の実施形態であるナビゲーション装置の構成を示す図である。
【図１０】ナビゲーション装置のブロック図である。
【図１１】ナビゲーション機能の表示例を示す図である。
【図１２】燃費情報管理機能を用いたナビゲーション機能の表示例を示す図である。
【発明を実施するための形態】
【００３２】
図１，図２は、本発明の車載機器として好適な一実施形態であるレーダー探知機の構成を示している。本レーダー探知機は通常ダッシュボード上に取り付けられる。本レーダー探知機は、図１に示すように、ケース本体１の上面にソーラーパネル２並びにスイッチ部３を配置し、ケース本体１の前面側（車両前方へ配置される側（フロントガラス側））内部に速度測定装置の発する周波数帯のマイクロ波を検知するマイクロ波受信器４を配置し、ケース本体１の後面側（車両後方へ配置される側（ユーザ側））に表示部５と警報ランプ６と赤外線通信機７とリモコン受信器１６を配置している。また、ケース本体１の上面側内部には、ＧＰＳ受信器８を配置する。さらに、ケース本体１の一方の側面には、アダプタージャック９を配置し、他方の側面には電源スイッチ１０並びに図示省略するＤＣジャックを配置する。また、ケース本体１内には、スピーカ２０も内蔵している。本実施形態では、表示部５は２．４インチの小型液晶ディスプレイであり、表示部５を実装するケース本体１の後方側の高さＨは、その他の部位の高さＨ０よりも大きくしている。
【００３３】
図２に示すように、赤外線通信機７は携帯電話機１２等の赤外線通信機を内蔵した通信装置との間でデータの送受を行なう。アダプタージャック９は、メモリカードリーダ１３を接続する端子である。アダプタージャック９にメモリカードリーダ１３を接続することで、そのメモリカードリーダ１３に装着されたメモリカード１４に格納されたデータを内部に取り込むことができる。より具体的には、メモリカード１４に格納されたデータは、新規な目的物の情報（経度・緯度を含む位置情報，種別情報等）などの更新情報があり、その更新情報が制御部１８経由で装置に内蔵されるデータベース１９に格納（ダウンロード）され、データ更新がされる。なお、メモリカードリーダ１３の機能は、ケース本体１内に内蔵するように構成してもよい。
【００３４】
データベース１９は、制御部１８のマイコン内あるいはマイコンに外付けした不揮発性メモリ（たとえばＥＥＰＲＯＭ）である。データベース１９には、出荷時に一定の目的物に関する情報を登録しており、その後に追加された目的物についてのデータ等が上記のようにしてデータ更新することができる。また、データ更新は、赤外線通信機７を介して行なうこともできる。
【００３５】
ＤＣジャックは、図示省略のシガープラグコードを接続するためのもので、そのシガープラグコードを介して車両のシガーソケットに接続して電源供給を受け得るようにする。無線受信器１５は、飛来する所定周波数の無線を受信する。リモコン受信器１６は、赤外線によりリモコン（携帯機：子機）１７とデータ通信をし、装置に対する各種の設定を行なう。また、スイッチ部３も制御部１８に接続され（図示省略）、リモコン１７と同様の設定を行えるようになっている。リモコン１７には、待受切替ボタン、詳細切替ボタン、履歴表示ボタン、キャンセルボタン、決定ボタンと、上下左右の十字ボタンを備えている。
【００３６】
また、制御部１８は、上記の各種の入力機器（ＧＰＳ受信器８、マイクロ波受信器４、無線受信器１５、リモコン受信器１６、メモリカードリーダ１３、赤外線通信機７）から入力される情報に基づき所定の処理を実行し、出力機器（表示部５，警報ランプ６，スピーカ２０）を利用して所定の警報・メッセージを出力する。なお、これらの基本構成は、基本的に従来のものと同様のものを用いることができる。
【００３７】
さらに本実施形態のレーダー探知機は、車両に実装されているＯＤＢ−II（IIはローマ数字の「２」であり、以下「ＯＤＢ−II」を「ＯＤＢ２」と記す）コネクタに接続する接続ケーブル２２を備え、この接続ケーブル２２の先端には、ＯＤＢ２コネクタに着脱自在に装着できるコネクタ端子２３が取り付けられている。ＯＤＢ２コネクタは、故障診断コネクタとも称され、車両のＥＣＵに接続され、定期的に各種の車両情報が出力される。そこで、この接続ケーブル２２に取り付けられたコネクタ端子２３と、車両本体側のＯＤＢ２コネクタとを連結することで、制御部１８は、各種の車両情報を定期的に取得することができる。
【００３８】
この車両情報としては、車両の車速、インジェクション噴射時間、吸入空気量、残燃料の情報等がある。残燃料は、現在の燃料タンクに残っている燃料の量であり、０．５リットルの分解能で出力される。よって、残燃料を定期的に取得し、前回の残燃料と今回の残燃料との間で変化が発生したタイミングを記録することで、前回変化が発生してから今回変化が生じるまでに消費された燃料は、０．５リットルと言える。また、定期的（例えば１秒ごと）に瞬間燃費の情報が出力されるものもある。
【００３９】
また上記の接続ケーブル２２は、レーダー探知機のケースに一体的に取り付けられていても良いし、ケースに接続端子を設け、着脱自在としてもよい。着脱自在とした場合、燃費計機能を利用しないユーザは、接続ケーブル２２を取り外すことで、配線がダッシュボード上等において散らかるのを抑制し、レーダー探知機の周囲をすっきりとさせることができる。
【００４０】
さらにまた、レーダー探知機は、燃費情報記憶部２４を備える。この燃費情報記憶部２４は、上記の取得した車両情報を格納したり、制御部１８がその車両情報その他の情報に基づいて演算処理した結果を格納したりするものである。この燃費情報記憶部２４は、ハードウェアとしては、データベース１９や、メモリカード１４と同じメモリ媒体を用いても良いし、別の媒体でも良い。また、制御部１８内のメモリを利用しても良い。
【００４１】
本実施形態のレーダー探知機における機能は、制御部１８に有するコンピュータが実行するプログラムとして制御部１８のＥＥＰＲＯＭ上に格納され、これを制御部１８に有するコンピュータが実行することで実現される。
【００４２】
制御部１８の有するプログラムによってコンピュータが実現する機能としては、待ち受け画面表示機能、レーダースコープ表示機能、ＧＰＳ警報機能、レーダー波警報機能、無線警報機能、燃費計機能、燃費情報管理機能などが挙げられる。
【００４３】
待ち受け画面表示機能は、図３（ａ）に示すように、ＧＰＳ受信器８によって検出した自車両の速度、緯度、経度、高度を表示する機能である。レーダースコープ表示機能は、図３（ｂ）に示すように、ＧＰＳ受信器８によって検出した現在位置から所定の範囲内（例えば約１ｋｍの範囲内）にある目的物をデータベース１９に記憶された位置情報に基づいて検索し、自車位置と目的物の位置との相対的な位置関係を表示部５に表示させる機能である。図３（ｂ）中の左側の「Ｗ」が西、右側の「Ｅ」が東、上側の「Ｎ」が北の方角を示し、「Ｗ」と「Ｅ」を結ぶ左右方向の線と「Ｎ」から下へ伸びる上下方向の線との交点にあるアイコンが自車位置を示している。また「Ｌ」「ＲＤ」「Ｐ」「Ｎ」等の文字を有するアイコンが目的物の種類と位置を示す。図３（ａ）に示すような待ち受け画面表示機能実行中にリモコン１７に設けた待受切替ボタンの押下が検出された場合、図３（ｂ）に示すようなレーダースコープ表示機能に切り替える。また、レーダースコープ表示機能実行中にリモコン１７に設けた待受切替ボタンの押下が検出された場合、待ち受け画面表示機能に切り替える処理を行う。
【００４４】
制御部１８は、待ち受け画面表示機能またはレーダースコープ表示機能の実行中に、発生したイベントに応じて、ＧＰＳ警報機能、レーダー波警報機能、無線警報機能、トンネル内速度測定装置警報機能等の各機能を実現する処理を実行する。
【００４５】
ＧＰＳ警報機能は、待ち受け画面表示機能またはレーダースコープ表示機能の実行中に、データベース１９に記憶された目的物の緯度経度とＧＰＳ受信器８によって検出した現在位置の緯度経度から両者の距離を求め、求めた距離がデータベース１９に記憶された接近警報距離になった場合に、データベース１９に記憶された写真または模式図のデータを読み出して表示部５に表示させるとともに、データベース１９に記憶された音声データを読み出してスピーカ２０から接近警報音声を出力する接近報知を行なう機能である。
【００４６】
こうした目的物としては、固定式速度測定装置（レーダーのようにレーダー波（マイクロ波）を発する速度測定装置やループコイルのように、レーダー波を発しない速度測定装置を含む）、制限速度切替りポイント、取締エリア、検問エリア、駐禁監視エリア、Ｎシステム、交通監視システム、交差点監視ポイント、信号無視抑止システム、警察署、事故多発エリア、車上狙い多発エリア、急／連続カーブ（高速道）、分岐／合流ポイント（高速道）、ＥＴＣレーン事前案内（高速道）、サービスエリア（高速道）、パーキングエリア（高速道）、パーキングエリア（高速道）、ハイウェイオアシス（高速道）、スマートインターチェンジ（高速道）、ＰＡ／ＳＡ内  ガソリンスタンド（高速道）、トンネル（高速道）、ハイウェイラジオ受信エリア（高速道）、県境告知、道の駅、ビューポイントパーキング等があり、これらの目的物の位置を示す緯度経度情報と目的物の種別情報と表示部５に表示する模式図または写真のデータとスピーカ２０から出力する音声の音声データとを対応付けてデータベース１９に記憶している。
【００４７】
例えば、図３（ａ）の待ち受け画面表示機能または図３（ｂ）のレーダースコープ機能の実行中に、目的物であるループコイルと自車との距離がデータベース１９に記憶された接近警告距離である２ｋｍ、１ｋｍ、５００ｍのいずれかになった場合には、目的物であるループコイルの模式図または写真のデータをデータベース１９から読み出して表示部５に表示させるとともに、データベース１９に記憶された音声データを読み出してスピーカ２０から警報音声を出力する接近報知を行なう。例えば、５００ｍに接近した場合には、図３（ｃ）のように、画面右側に図３（ｂ）と同様のレーダースコープ画面を表示して目的物であるループコイルと自車位置との位置関係を表示するとともに、ループコイルを示す目的物であるループコイルの模式図または写真のデータをデータベース１９から読み出して表示部５に表示させ、「５００ｍ先ループコイルです、スピード注意」という音声データをデータベース１９から読み出してスピーカ２０から出力させる。また、警報音声の出力中は、警報ランプ６を点燈させる。
【００４８】
レーダー波警報機能は、マイクロ波受信器４によって速度測定装置（移動式レーダー等のレーダー波を発する速度測定装置）から発せられる周波数帯のマイクロ波に対応する信号が検出された場合に、表示部５に対して警報画面を表示するとともに、スピーカ２０から警報音を出力する警報機能である。例えば、レーダーの発するマイクロ波の周波数帯のマイクロ波がマイクロ波受信器４によって検出された場合に、図４に示すように、データベース１９に記憶されたレーダーの模式図または写真を表示部５に警報画面として表示するとともに、データベース１９に記憶された音声データを読み出して「レーダーです。スピード注意」という音声をスピーカ２０から出力する。音声出力中は、警報ランプ６を点燈させる。
【００４９】
無線警報機能は、無線受信器１５によって、緊急車両等の発する無線を受信した場合に、その走行等の妨げとならないよう、警報を発する機能である。無線警報機能においては、取締無線、カーロケ無線、デジタル無線、特小無線、署活系無線、警察電話、警察活動無線、レッカー無線、ヘリテレ無線、消防ヘリテレ無線、消防無線、救急無線、高速道路無線、警備無線等の周波数をスキャンし、スキャンした周波数で、無線を受信した場合には、データベース１９に無線種別ごとに記憶されたその周波数に対応する無線を受信した旨の模式図を警報画面として表示部５に表示するとともに、データベース１９に無線種別ごとに記憶された音声データを読み出して、スピーカ２０からその無線の種別を示す警報音声を出力する。たとえば、取締無線を受信した場合には「取締無線です。スピード注意」のように音声を出力する。音声出力中は、警報ランプ６を点燈させる。
【００５０】
本実施例のレーダー探知機は、さらに、燃費計機能を備える。この燃費計機能は、取得した車両情報等に基づいて、補正処理をして正しい燃費を求め、その補正後の燃費その他の燃費に関する情報を表示部５に表示する機能を備える。背景技術でも説明したとおり、燃費は、
燃費＝走行距離／消費燃料  ［ｋｍ／リットル］
により求めることができる。
【００５１】
そして、走行距離は、車両情報として取得する車速パルスに基づいて求めたり、ＧＰＳ受信器８から取得した位置情報の履歴から求めたりすることができる。一方、消費燃料は、例えば車両情報として取得する残燃料に基づいて求めることができる。すなわち、残燃料の情報は、０．５リットル消費するごとに出力される燃料タンク内の残っている燃料の残量についての情報である。従って、この残燃料の信号が出力される都度、０．５リットル消費されたことがわかる。よって、制御部１８は、前回残燃料の信号が出力されてから今回残燃料の信号が出力されるまでの走行距離を求め、その求めた走行距離と消費燃料（０．５リットル）から、０．５リットルの燃料を消費した際の燃費を求めることができる。但し、その０．５リットルの燃料で走行できる距離を考えると、仮に、燃費が１０ｋｍ／リットルとすると、５ｋｍは走行できることになる。従って、上記のようにして求めた燃費は、係る５ｋｍを走行している際の平均燃費となる。例えば高速道路のように、走行状態が安定した状態で長距離は知ることができる場合には、かかる平均燃費を報知したとしても、有効・有益な情報となる。一般道路のように、一時停止や加速／減速など走行状態が頻繁に変わるような場合には、かかる平均燃費だけでは十分な燃費情報の提供とはいえず、走行状態に応じたリアルタイムでの燃費（瞬間燃費）を報知することで、ユーザは、現在の走行状態（加速・減速・登り坂・下り坂等）に伴う瞬間燃費を知ることができ、燃費の良いエコ運転を心がけることができるようになる。
【００５２】
本実施形態の燃費計機能は、かかる瞬間燃費を求める機能も備えている。この瞬間燃費は、例えば１秒ごとなどの短時間での瞬間的な消費燃料に基づいて求めることができる。この短時間の消費燃料は、車両情報として出力される吸入空気量とインジェクションを開いている時間から求めることができる。但し、吸入空気量に基づいて推定する消費燃料の値は、実際のものと異なるため、上記の式に基づいて求めた燃費（瞬間燃費の生データ）は、現実の値とずれを生じる。そこで、実際に走行した距離と、その走行するために消費した燃料の総量に基づいて補正係数を求め、瞬間燃費の生データに補正係数を掛けることで、実際の値に近い燃費を求めるようにしている。
【００５３】
係る補正係数は、例えば従来一般に用いられている満タン法を用いることができる。この満タン法は、一度満タンに給油した後、走行し、次に給油するときも満タンにする。そして、当該次に給油した際の給油量が、消費した燃料の総量となる。また、その期間に走行した距離は、例えば、最初に給油する際に車両に実装されている走行距離のメータをリセットし、次に給油した際の走行距離から求めることができる。但し、この満タン法では、補正係数を求める走行距離が非常に長くなり、走行状態や走行場所が異なる条件で取得した様々な情報に基づいて補正係数が求められるので、実際に燃費を算出する際の条件が、補正係数を求めた際の条件と異なる場合には、補正が正しく行われず、正確な燃費を算出することができない。そこで本実施形態の燃費計機能は、上述した残燃料の情報に基づく０．５リットルごとに求められる正確な平均燃費に基づいて補正係数を求め、より直近のデータに基づく正確な補正を行うようにした。具体的には、以下の通りである。
【００５４】
図５は、燃費情報記憶部２４のデータ構造を示している。図示するように、「瞬間燃費の生データ」，「瞬間燃費の補正データ」，「残燃料による平均燃費の値が出力されるまでの瞬間燃費の補正データの累積」，「残燃料による平均燃費の値が出力されるまでの瞬間燃費の補正データの個数」，「残燃料による平均燃費の値が出力されるまでの瞬間燃費の補正データの個数の累積」，「瞬間燃費の補正データの平均」，「残燃料による平均燃費（０．５リットル毎）」，「補正係数」を関連付けたテーブル構造となっている。これらの「補正データ」とは、「補正後のデータ」の意味である。
【００５５】
「瞬間燃費の生データ」の記憶エリアは、設定されたサンプリングタイムごとに求めたその車両の瞬間燃費を格納するエリアである。この瞬間燃費の生データは、例えば、車両情報として定期的（例えば１秒ごと）に瞬間燃費が出力される場合には、その値を利用する。つまり、制御部１８は、接続ケーブル２２を介して取得した瞬間燃費を生データとして対応する記憶エリアに格納する。また、車両情報として瞬間燃費が出力されない場合、制御部１８は、サンプリングタイムの期間中の吸入空気量とインジェクションを開いている時間のいずれかから消費した燃料の量を公知の方法で求める。吸入空気量とインジェクションを開いている時間のいずれから求めるかは、ＯＤＢ２コネクタを介して取得できる情報がこれらのいずれか一方である車両については取得できる方の情報を用い、両方の情報が取得できる車両については、いずれか一方から求めるとよい。そして、その期間中における走行距離からサンプリングタイムごとの瞬間燃費の生データを求め、上記の所定の記憶エリアに格納する。上記のサンプリングタイムは、例えば１秒とすることができる。
【００５６】
「瞬間燃費の補正データ」は、上記の時々刻々（例えば１秒ごと）と取得し記憶される「瞬間燃費の生データ」に対し、後述する補正係数を掛けることで求めた補正後の瞬間燃費である。補正係数は、実際に消費した燃料の量と、走行距離を用いて求めるため、この補正後の瞬間燃費は、実際の燃費に近い値に収束される。本実施形態の制御部１８は、瞬間燃費の生データを１秒ごとに取得するとともに記憶するので、瞬間燃費補正データも１秒ごとに求める。
【００５７】
制御部１８は、実際の走行距離と、実際に消費した燃料に基づいて補正係数ｒを求め、瞬間燃費の生データに、補正係数ｒを掛けることで、補正後の瞬間燃費を求める。そして、補正係数は、実際の走行距離と消費した燃料に基づいて求めた正確な実際の燃費と、その期間中に求めた瞬間燃費の生データのずれから求める。すなわち、瞬間燃費の生データは、吸入空気量や、インジェクションが開いている（燃料を噴射している）か否か、などの消費燃料の量に関連する間接的な情報に基づいて消費量を推定しているため、実際の燃費とのずれが生じる。そこで、実際の燃料の消費量を正確に特定できる車両情報として出力される残燃料の情報を用いて、正確な燃費を求めるようにした。
【００５８】
残燃料は、０．５リットルの分解能で出力されるので、当該残燃料を所定期間（例えば１秒ごと）に取得し、前回の残燃料と今回の残燃料との間に変化が発生するタイミングを認識する。そして、前回残燃料の値が変化してから、今回さらに変化するまで（０．５リットル減少するまで）の期間を補正対象期間とする。そして、その期間の走行距離を求めることで補正対象期間全体における実際の燃費（平均燃費）を算出することができる。ここで、平均燃費Ｆｉは、
平均燃費（Ｆｉ）＝走行距離／消費燃料  ［ｋｍ／リットル］
となり、消費燃料は０．５リットルである。そして、走行距離は、その補正対象期間中に車両情報として取得した車速パルスに基づいて求めてもよいし、ＧＰＳ受信器８から取得した位置情報の履歴に基づいて正確な移動距離を求めても良い。ＧＰＳ受信器８から取得した位置情報の履歴から求めた方が、より正確な平均燃費が求められる。制御部１８は、取得した上記の情報を上記の平均燃費の算出式に代入し、今回の補正対象期間の平均燃費Ｆｉを求め、「残燃料による平均燃費」の記憶エリアに格納する。
【００５９】
また、制御部１８は、瞬間燃費の生データを取得すると、前回の補正対象期間に求めた補正係数を掛けて、補正後の瞬間燃費を求め、対応する「瞬間燃費の補正データ」の記憶エリアに格納する。すなわち、ｉ番目の補正対象期間の補正処理は、（ｉ−１）番目の補正対象期間の際に求めた補正係数ｒ（ｉ−１）を使用して瞬間燃費を求めるので、ｉ番目の補正対象期間におけるｎ番目に取得した瞬間燃費の生データがｆ′ｉｎとすると、そのｎ番目の補正後の瞬間燃費ｆｉｎは、
ｆｉｎ＝ｒ（ｉ−１）×ｆ′ｉｎ
より算出する。また、１番目の補正対象期間は、補正係数がないので、制御部１８は、上記の補正式に基づく補正処理をせずに、瞬間燃費の生データを取得すると、「瞬間燃費の生データ」の該当する記憶エリアに記憶するとともにその生データを「瞬間燃費の補正データ」の記憶エリアにも記憶する。
【００６０】
補正係数は、瞬間燃費の補正データの平均と、残燃料による実際の平均燃費との比としている。そして瞬間燃費の補正データの平均は、以下のようにして求める。まず、車両情報から出力される残燃料の情報は、定期的（例えば１秒ごと）に取得するものの、残燃料の分解能は０．５リットルであるので、実際に燃料が０．５リットル消費されて初めて残燃料の値が変化する。補正対象期間は、この０．５リットル分の燃料が消費される期間となり、走行状態その他の条件により補正対象期間の時間的な長さは一定ではない。一方、瞬間燃費の生データは、定期的に求められるため、各補正対象期間における瞬間燃費の生データの数は同じではない。そこで制御部１８は、今回の補正対象期間中の瞬間燃費の補正データの累積（ｆｓｉ）を求め、「残燃料による平均燃費の値が出力されるまでの瞬間燃費の補正データの累積」の記憶エリアに記憶する。この累積データ（総和）の算出は、瞬間燃費の補正データを求める都度、積算していっても良いし、残燃料の値が変化して補正対象期間が確定した際に、一括して積算処理をしても良い。
【００６１】
さらに、制御部１８は、今回の補正対象期間中に格納された瞬間燃費の補正データの個数を求め、「残燃料による平均燃費の値が出力されるまでの瞬間燃費の補正データの個数」の該当する記憶エリアに格納する。さらに、制御部１８は、開始当初からの瞬間燃費の補正データの個数の総数を求め、「残燃料による平均燃費の値が出力されるまでの瞬間燃費の補正データの個数の累積」の該当する記憶エリアに格納する。すなわち、１番目の補正対象期間からｉ番目の補正対象期間までに求めた瞬間燃費の補正データの総数を求め、それをｉ番目の「残燃料による平均燃費の値が出力されるまでの瞬間燃費の補正データの個数の累積」の記憶エリアに格納する。
【００６２】
制御部１８は、これらのデータを適宜用い「瞬間燃費の補正データの平均」を算出する。例えば１番目の補正対象期間における瞬間燃費の補正データの平均値ｆａｖ１は、その期間の瞬間燃費の補正データの累積がｆｓ１、データの個数がａとすると、累積値を個数で割ればよいので、
ｆａｖ１＝ｆｓ１／ａ
により求めることができる。
【００６３】
また、２番目の補正対象期間に基づいて求める瞬間燃費の補正データの平均値ｆａｖ２は、１番目の補正対象期間の時の瞬間燃費の補正データも加味するため、平均値を求める式の分子となる最初から２番目までの瞬間燃費の補正データの累積値は、１番目の補正対象期間における瞬間燃費の補正データの累積値ｆｓ１と２番目の補正対象期間における瞬間燃費の補正データの累積値ｆｓ２の和となる。ここでｆｓ１は、平均値ｆａｖ１と個数ａにより、
ｆｓ１＝ａ・ｆａｖ１
により求めることができる。また、１番目から２番目の補正対象期間まで瞬間燃費の補正データの総数は、各補正対象期間における個数の和であるので、２番目の補正対象期間における当該個数をｂとすると、「ａ＋ｂ」となる。よって、２番目の補正対象期間に基づいて求められるそれまでの瞬間燃費の補正データの平均値ｆａｖ２は、
ｆａｖ２＝（ａ・ｆａｖ１＋ｆｓ２）／（ａ＋ｂ）
により求めることができる。
【００６４】
３番目の補正対象期間における瞬間燃費の補正データの累積値がｆｓ３で、個数がｃとすると、１番目から２番目の補正対象期間までの補正データの累積値は、
（ａ＋ｂ）・ｆａｖ２
でもとめることができるので、当該３番目の補正対象期間に基づいて求められるそれまでの瞬間燃費の補正データの平均値ｆａｖ３は、
ｆａｖ３＝（（ａ＋ｂ）・ｆａｖ２＋ｆｓ２）／（ａ＋ｂ＋ｃ）
により求めることができる。よって、ｉ番目の補正対象期間に基づいて求められるそれまでの瞬間燃費の補正データの平均値ｆａｖｉは、
ｆａｖｉ＝（（ａ＋ｂ＋ｃ＋・・・＋ｋ）ｆａｖ（ｉ−1）＋ｆｓｉ）／Ｘ
但し、Ｘは、ｉ番目までの各補正対象期間における瞬間燃費の補正データの個数の総和
制御部１８は、上述した式に対応する数値を代入し、１番目から今回の補正対象期間までの瞬間燃費の補正データの平均値を算出し、「瞬間燃費の補正データの平均」の該当箇所に格納する。
【００６５】
制御部１８は、このようにして求めた１番目からｉ番目の補正対象期間までの瞬間燃費の補正データの平均値ｆａｖｉと、今回の補正対象期間の実際の平均燃費（０．５リットルあたりの走行距離）Ｆｉを用い、下記式より補正係数ｒｉを求める。
ｒｉ＝Ｆｉ／ｆａｖｉ
これにより、補正係数は、燃料を０．５リットル消費するごとに更新することになる。そして、このようにして求めた補正係数ｒｉは、次のｉ＋１番目の補正対象期間における瞬間燃費の補正処理に用いられる。つまり、制御部１８は、ｉ＋１番目の補正対象期間中に取得するｎ番目の瞬間燃費の生データは、ｆ′（ｉ＋１）ｎとなり、その生データに補正係数ｒｉを掛けることで補正データｆ（ｉ＋１）ｎを求めることになる。
【００６６】
また、上記の式から明らかなように、１番目の補正対象期間中の１番目に取得した生データ（ｆ′１１）に基づく補正データｆ１１から、今回の補正対象期間中に取得したデータまでの全てを反映するようにしたので、正確な補正係数を真求めることができ、その後に求める瞬間燃費も正確なものとなる。さらに、上記の各処理を行うに際し、過去のデータは、１つ前の補正対象期間の時に取得したり算出したりして得られたデータを用いており、２つ前以上の古い補正対象期間で取得したデータは直接使用しないで済むようにしている。これにより、古いデータを記録し続ける必要性が無く、必要なメモリ容量の削減を図ることができる。
【００６７】
燃費計機能は、上記のように補正して正確な瞬間燃費の補正データを求める機能に加え、その補正した瞬間燃費やその他のデータを表示する機能を備える。図６，図７は、表示画面の一例である。図示するように、表示画面の中央にグラフ表示領域Ｒ１０を配置し、上方には第１数値データ表示領域Ｒ１１を配置し、グラフ表示領域Ｒ１０の右側に第２数値データ表示領域Ｒ１２を配置するレイアウトを採る。グラフ表示領域Ｒ１０には、瞬間燃費の補正データを時系列に棒グラフとして描画する。つまり、制御部１８は、瞬間燃費の補正データを求めると、それまで描画していた棒グラフを１列左にずらすと共に今回求めた補正データの値に対応する長さの線をグラフの右端に描画する。また、制御部１８は、瞬間燃費の補正データの平均値もグラフ化して重ねて描画する。つまり、横軸は時間の経過に対応するものとなり、右側ほど最新のデータを示している。一定以上古いデータは、画面の左端から外れて消去される。
【００６８】
図６は、運転開始当初の加速し、ある程度の速度に到達すると一定の速度範囲内で運転している状態を示している。開始当初は、０．５リットル刻みの正確な平均燃費の情報が少なく、瞬間燃費の補正後のデータであっても、実際の燃費とのずれは大きく、変動も大きいが、徐々に変動の幅小さくなっていく。図７は、図６よりもさらに時系列的に後で、比較的安定して走行しているとともに、実際の正確な平均燃費の情報も多数集まり、補正係数の精度も高くなった状態を示している。
【００６９】
第１数値データ表示領域Ｒ１１は、３つの数値データを表示する。具体的には、左から順に「残燃料による平均燃費の値が出力されるまでの瞬間燃費の補正データの個数」，「瞬間燃費の生データ」，「瞬間燃費の補正データ」である。それぞれ最新のデータが表示される。そして「瞬間燃費の補正データ」が、グラフ表示領域Ｒ１０中の棒グラフの最新の値である。
【００７０】
第２数値データ表示領域Ｒ１２は、「瞬間燃費の補正データの平均値」を示す領域である。この「瞬間燃費の補正データの平均値」は、グラフ表示領域Ｒ１０に描画された折れ線グラフの最新の値を示す。
【００７１】
本実施形態の燃費計機能で表示する瞬間燃費（補正データ）は、実際の値に近いものとなるので、例えば、加速・減速等の速度を変えたり、一時停止したり、急発進したりするなどの運転・走行の状態による瞬間燃費に与える影響を正しく理解することができ、どのような運転の仕方が燃費を向上させるのによいかを知り、エコ運転をすることができる。そして、グラフで表示することで、瞬間燃費の変化が視覚により直感的に理解でき、しかも、瞬間燃費の補正データは、１秒ごとに更新されグラフに反映されるので、現在の運転による燃費の影響がすぐにわかるので、燃費を良くするような運転を心がけるのに有益な情報の提供をすることができる。
【００７２】
燃費情報管理機能は、燃費計機能により求める燃費情報を、燃費に影響を与える要素である交通関連情報と関連付けて記録し、記録した情報を利用する機能である。交通関連情報は、高速道路，一般道路（市街地と郊外のようにさらに細分化することもできる）のような道路種別や、登り坂・下り坂のような道路状態や、信号・踏切の設置数の多い領域と少ない領域など、燃費に差が生じるような地図情報に基づくものがある。また、このように地図情報以外にも、渋滞がよく起こる渋滞発生地域か否かなどの走行状態（交通状態）の情報もある。また、渋滞発生地域か否かについては、その箇所が、一日中渋滞している場合もあるし、特定の条件を充足するときに渋滞が発生する場合もある。特定の条件は、例えば朝晩の通勤時間帯や、ある特定の期間（土日・祝日などの曜日，夏・冬などの季節，お祭りその他の行事に関連する特定の日等）がある。
【００７３】
制御部１８は、上記の地図情報その他の交通関連情報における設定された領域ごとに補正した平均燃費を求め、その求めた平均燃費がどの領域のものかを特定して記録する。区分けする領域を何にするかは、リモコン１７，スイッチ部３からの指示に従い、予め設定された中から選択する。上述したように、本実施形態では、残燃費を用いて瞬間燃費の補正を行うため、その補正を正確にするためには、同一の道路種別等の同じ領域を走行している際に得られる残燃費を用いるのがよい。よって、本実施形態では、燃費情報管理機能は燃費計機能と共同して動作し、上記の指示を受けて燃費計における１番目の補正対象期間の開始の切り替えの条件設定を行い、燃費計機能により求めた燃費を領域ごとに分けて記録する。
【００７４】
レーダー探知機は、データベース１９に道路種別に関する情報を持っており、現在走行している道路が、高速道路か否か（一般道路か）を判別する機能を備えている。従って、ここではこの交通関連情報に基づく燃費情報の記録を、高速道路か否かの区別とする。まず制御部１８は、ＧＰＳ受信器８から取得した位置情報から現在位置がどの領域、すなわち、高速道路の領域か一般道路の領域のいずれの領域に位置しているかを判定する。換言すると、制御部１８は、現在走行している道路の道路種別を判定する。
【００７５】
そして、制御部１８は、道路種別が変わることを契機として１番目の補正対象期間を開始する。すなわち、通常、高速道路と一般道路では、燃費が異なるため、補正係数もそれぞれの道路に適した値がある。異なる道路種別を走行して得られた補正係数を利用して補正処理をすると正しい瞬間燃費の算出ができないおそれがある。そこで、制御部１８は、道路種別が変わったことを契機として補正係数の算出を含めた補正処理をリスタートさせることで、同じ道路種別について得られた実際の平均燃費に基づいて補正係数を求め、瞬間燃費に対する正確な補正を行うようにしている。例えば、一般道路から高速道路に入った場合、１番目の補正対象期間としてリスタートすることで、高速道路の補正処理は高速道路の走行により得られる情報のみに基づいて算出することができ、正確な補正ができる。高速道路から一般道路に降りて走行する場合も、それまでの高速道路の走行に基づく情報はリセットされ一般道路の走行に基づく情報のみで補正することができる。
【００７６】
また、そのようにリスタートすると、それまでの走行に基づく情報は消去されてしまう。その結果、例えば、一般道路Ａ→高速道路→一般道路Ｂのように道路種別が交互に繰り返す場合、高速道路から降りて一般道路Ｂを走行する場合に一般道路Ａを走行していたときに得られた情報はないので、一般道路Ｂの走行開始当初は、補正係数が正しく得られず、瞬間燃費の補正データと実際の瞬間燃費との間でずれが生じてしまう。
【００７７】
そこで、燃費情報記憶部２４に記憶するデータとして、一般道路用と高速道路用でそれぞれ分けて記録する。すると、制御部１８は、一般道路Ａを走行していたときに得られた情報を一般道路用の記憶エリアに格納し、一般道路用の補正係数を求め、それに基づいて瞬間燃費の補正データを求める。そして、高速道路に入ったならば、制御部１８は、一般道路用のデータは使用せず、新たに１番目の補正対象期間からリスタートして各種のデータが取得すると共に算出処理されて高速道路用の補正係数を求めるとともに、必要なデータを高速道路用の記憶エリアに格納し、高速道路を走行中はその高速道路用の記憶エリアに格納したデータに基づいて瞬間燃費の補正データを求める。
【００７８】
その後高速道路を降りて、一般道路Ｂを走行するようになると、制御部１８は、ＧＰＳ受信器８から取得した現在位置情報に基づき現在走行している道路種別が一般道路と認識し、上述した一般道路Ａを走行していたときに求めて記憶しておいた一般道路用の補正係数を用いて瞬間燃費の補正データを求める。これにより、一般道路Ｂの走行開始直後から正確な瞬間燃費を求めることができる。
【００７９】
上記の補正処理をすることで、走行する道路の道路種別にあった正確な瞬間燃費の補正データの平均を求めることができる。そして、燃費情報記憶部２４に記憶するデータとして、一般道路用と高速道路用でそれぞれ分けて記録しているため、上記のように正確な瞬間燃費の補正データも、それぞれの道路種別用の記録エリアに格納される。このように、道路種別ごとに分けて記録することも、燃費計機能により求める燃費情報を交通関連情報と関連付けて記録することになる。また、本実施形態では、燃費の補正処理をするための各データを記録する燃費情報記憶部２４内に、燃費情報と交通関連情報の関連付け情報も合わせて記録するようにしたが、別々に記録してももちろん良い。
【００８０】
燃費情報管理機能における記録した情報を利用する処理は、残燃料と燃費から走行可能距離を求め、報知する。つまり、制御部１８は、現在走行中の道路の道路種別（領域）を判定し、その道路種別に関連付けられた燃費情報である瞬間燃費の補正データの平均と、残燃料とから、下記式により走行可能な距離を算出する。
走行可能な距離＝残燃料／瞬間燃費の補正データの平均
走行可能な距離を求める際に消費した燃費は、現在走行中の道路と同じ道路種別の道路を走行していたことにより得られた直近の燃費であり、現状の走行状況にあった燃費であるので、制御部１８が求めた走行可能な距離は、従来よりも正確なものとなる。
【００８１】
一般的に高速道路を走行しているときの燃費の方が、一般道路を走行しているときの燃費よりもよい。従って、残燃料が同じでも、走行する道路の道路種別が異なると走行可能な距離が相違する。具体的には、高速道路を走行している方が一般道路を走行しているよりも走行可能な距離は長くなる。そこで本実施形態では、一般道路用の燃費と高速道路用の燃費をそれぞれ求め、記憶保持しているので、現在走行中の道路と同じ道路種別の道路用の燃費に基づいて求めた走行可能な距離は、より実際のものに近くなる。
【００８２】
そして、制御部１８は、求めた走行可能な距離を表示部５に出力して報知したり（図８（ａ）参照）、スピーカ２０を用いて音声で報知したりする。また、視覚による報知は、図８に示すように、走行可能な距離を具体的な数値で示すものに限ることはなく、残り距離を複数のグループに分け、インジケータのように段階的に残り距離が減ることを示したり、例えば、赤色（残り距離は第１閾値以下），黄色（残り距離は第２閾値以下（第１閾値よりも長い）），青色（残り距離は第２閾値より長い）のように異なる色により報知したりすることができる。
【００８３】
また、上記の実施形態では、交通関連情報として道路種別（高速道路／一般道路）による２つの領域を用い、その２つの領域と燃費情報を関連付けて記憶すると共に、その記憶した燃費情報と残燃料から走行可能な距離を求めることに利用する例について説明したが、本発明はこれに限ることはない。例えば、交通関連情報として上記例示列挙した情報或いはそれ以外の情報（車両の状態・運転者の区別等）について燃費に影響を与える要素を区別するためのデータを予めデータベース１９等に記憶しておき、制御部１８は、ＧＰＳ受信器８から取得した現在位置及びまたは時刻情報に基づきどの要素の領域にいるかを判定し、求めた燃費情報を該当する要素に関連付けて記憶し、記憶した燃費情報を利用する機能を備えても良い。要素を細かく分けることで、今後に走行する道路における燃費情報を用いた予測がより正確なものとなる。
【００８４】
また、制御部１８は、１リットルあたりの単価を取得しておくことで、燃費と単価から、現在の走行状態で単位距離（例えば１ｋｍ）走行するのにいくらかかるかを求め、表示部５を用いて報知する機能も備える（図８（ｂ）参照）。１リットルあたりの単価（燃料費）は、ユーザが燃料を給油した際に、そのときの価格をリモコン１７やスイッチ部３を操作して入力した値を制御部１８が取得し、所定の記憶手段に格納することで記憶保持する。また、そのように実際に購入した際の金額を利用するのではなく、例えばガソリン等の燃料の価格がアップされたインターネットのサイト等にアクセスし、現在位置の周辺の燃料の標準価格等を取得し、それを利用しても良い。サイト等へのアクセスは、本装置にインターネットにアクセスする機能を備えた場合には、当該装置が直接行ってもよいし、携帯電話機１２を用いて入手した情報を赤外線通信機７経由で制御部１８が取得するようにしてもよい。このように交通関連情報に関連付けられた燃費情報を用いて燃料費（１ｋｍ走行するのに要する金額）を求めることで、現在の走行状態がエコドライブであるか否かを直感的に理解することができる。また、図８（ｂ）では、燃料費は、現在走行中の交通関連情報に関連付けられた燃費に基づいて１つ表示するようにしているが、複数種類を並列して表示しても良い。例えば、高速道路と一般道路の２つの道路種別について管理しているときに、それら２つの道路種別についての燃料費を併記して表示する機能を備えると良い。この場合に、現在走行中の道路の道路種別の燃料費は、走行にともない適宜更新される。ユーザは、両方を見ることで、それぞれの燃料費の違いを理解することができ、走行ルートの検討の際にも有益な情報の一つとなる。
【００８５】
図９以降は、本発明の別の実施形態を示している。本実施形態では、車載機器の一例としてナビゲーション装置を示している。ナビゲーション装置３０は、持ち運び可能な携帯型の装置本体３２と、それを保持する取付部材たるクレードル３３とを備える。装置本体３２をクレードル３３に装着することで、車載用のナビゲーション装置として機能し、クレードル３３から取り外すことで携帯型のナビゲーション装置（ＰＮＤ）として機能する。本実施形態は、装置本体３２をクレードル３３に着脱可能とし、クレードル３３と共に車両のダッシュボード上に設置して利用したり、クレードル３３から装置本体３２を取り外して携帯型（ＰＮＤ）として利用したりすることができるタイプであるが、クレードル３３に対して簡単に着脱できず、車載固定タイプでも良いし、携帯型専用のものでもよい。さらには、例えば携帯電話などの携帯端末に所定のアプリケーションプログラムをインストール（プリインストールを含む）して実現されるものでもよい。アプリケーションプログラムは、ナビゲーションを行うためのシステム自身でも良いし、ナビゲーションを行うためのシステムが実装されているサーバにアクセスし、当該システムを利用するためのプログラムでも良い。本発明は、係る各種のタイプのナビゲーションシステムに適用できる。
【００８６】
装置本体３２は、クレードル３３に対して着脱自在に取り付けられる。装置本体３２は、扁平な矩形状のケース本体３４を備えている。そのケース本体３４の前面には、表示部５が配置され、その表示部５上には表示部５のどの部分がタッチされたかを検出するタッチパネル３８を備え、前面の両サイドには警報ランプ６を備えている。クレードル３３は、装置本体３２を保持するクレードル本体３６と、車室内の所定の位置（ダッシュボード等）において、クレードル本体３６を任意の姿勢で指示する台座部３７と、を備えている。台座部３７は、底面に設けた吸盤にて、ダッシュボードなどの上に吸着して固定される。台座部３７とクレードル本体３６とは、ボールジョイント等の連結機構を介して所定の角度範囲内で回転可能に連結される。ボールジョイントであるため、台座部３７とクレードル本体３６は、相対的に三次元方向の任意の角度範囲内で回転移動し、ジョイント部分における摩擦抵抗により任意の角度位置でその位置をとどめる。よって、クレードル本体３６に取り付けられた装置本体３２も、ダッシュボード上において任意の姿勢で配置することができる。
【００８７】
さらにケース本体３４の一方の側面には、ＳＤメモリカード用スロット部４１を備え、そのＳＤメモリカード用スロット部４１に地図データなどが記録されたＳＤメモリカード４２を挿入可能としている。また、ケース本体３４のＳＤメモリカード用スロット部４１を設けた側面には、ＤＣジャック４０を設けている。ＤＣジャック４０は、図示省略のシガープラグコードを接続するためのもので、そのシガープラグコードを介して車両のシガーソケットに接続して電源供給を受け得るようにする。
【００８８】
一方、ＳＤメモリカード用スロット部４１とは反対側の側面には、電源スイッチや、ＵＳＢ端子４３を設けている。このＵＳＢ端子４３を介してパソコンと接続し、ソフトウェアアプリケーションのバージョンアップなどを行なうことができる。
【００８９】
ケース本体３４の内部には、以下の各機器・部品を配置している。すなわち、ケース本体３４の背面側内部には、マイクロ波受信器４を配置する。また、ケース本体３４の上面側内部には、ＧＰＳ受信器８を配置する。ケース本体３４の前面側内部には、赤外線通信機７を配置する。赤外線通信機７は携帯電話機１２等の赤外線通信機を内蔵した通信装置との間でデータの送受を行なう。さらに、ケース本体３４内には、スピーカ２０も内蔵されている。更に、本実施形態のナビゲーション装置は、上述した実施形態（レーダー探知機）と同様に、無線受信器１５，リモコン受信器１６，接続ケーブル２２，コネクタ端子２３，燃費情報記憶部２４を備えている。
【００９０】
本実施形態の制御部１８の有するプログラムによってコンピュータが実現する機能としては、ナビゲーション機能に加え、上述した実施形態（レーダー探知機）における各機能がある（燃費計機能や燃費情報管理機能ももちろん含む）。制御部１８は、上記の各種の入力機器（ＧＰＳ受信器８、マイクロ波受信器４、無線受信器１５、タッチパネル３８、赤外線通信機７、リモコン受信器１６、ＳＤメモリカード用スロット部４１、ＵＳＢ端子４３等）から入力される情報に基づき所定の処理を実行し、出力機器（表示部５，警報ランプ６，スピーカ２０、赤外線通信機７、ＳＤメモリカード用スロット部４１、ＵＳＢ端子４３等）を利用して所定の情報・警報・メッセージを出力する。この所定の処理が、上記の各機能を実行するためのものであり、必要に応じてデータベース１９や、ＳＤメモリカード４２にアクセスする。
【００９１】
データベース１９に記録されたデータの更新は、上述した実施形態における更新処理に加え、例えば、追加データが格納されたＳＤメモリカードをＳＤメモリカード用スロット部４１に装着すると共に、そのＳＤメモリカードからデータベース１９に転送することで行うことができる。また、このデータ更新は、ＵＳＢ端子４３を介して接続されるパソコンその他の外部機器を用いたりすることで行うことができる。
【００９２】
制御部１８が有する一般的なナビゲーション装置の処理を行うナビゲーション機能は、以下のようになっている。表示部５に現在位置周辺の地図を随時表示し、目的地設定ボタンを表示する。制御部１８は、タッチパネル３８によって、目的地設定ボタンの表示位置に対応する位置の押下が検出された場合に、目的地設定処理を行う。目的地設定処理では、目的地設定メニューを表示部５に表示し、目的地の設定方法の選択をユーザに促す。目的地設定メニューは、目的地の設定方法の選択をユーザに促す電話番号検索ボタンと住所検索ボタンとを有する。電話番号検索ボタンが押下された場合には、電話番号の入力画面を表示し、入力された電話番号に対応する位置情報をデータベース１９から取得する。住所検索ボタンが押下された場合には、住所の選択入力画面を表示し、入力された住所に対応する位置情報をデータベース１９から取得する。そして、取得した位置情報を目的地の位置情報として設定し、現在位置から目的地までの推奨経路を、データベース１９に記憶している道路ネットワーク情報に基づいて求める。この推奨経路の算出方法としては例えばダイクストラ法など公知の手法を用いることができる。
【００９３】
そして、制御部１８は、算出した推奨経路を、周辺の地図とともに表示する。例えば、図１１に示すように、表示画面５０に描画された地図上の現在位置５１から目的地５２にいたるルート５３を推奨経路として、所定の色（例えば赤色）で表示する。また、そのようにしてルート５３が決まると、現在位置５１から目的地５２までの距離が決まるので、制御部１８は、目的地までに要する燃料費を算出し、例えば表示画面５０の下側に設定された燃料費表示部５６に表示する。この機能を実行するためには、制御部１８は、事前に１リットルあたりの燃料費を取得し、記憶保持しておく。またこのように燃料費を表示するのではなく、制御部１８は、目的地まで走行することにより消費する燃料を予測し、それを消費燃料予測値表示部５７に表示する機能を備えても良い。そのようにすると、ユーザは燃料計などで残燃料を確認し、目的地まで給油することなく到達できるか、途中で給油した方が良いかなどの判断をすることができる。図では、２つの情報を併記して示しているが一方のみを表示してもよい。
【００９４】
さらに、燃費が異なる領域を特定する複数の交通関連情報として、高速道路と一般道路の識別する道路種別情報を用いているので、そのルート５３で走行する道路の道路種別から燃費に影響を与える要素たる交通関連情報で設定されたどの領域に属しているかがわかるので、上記の燃料費や燃料の消費量は、各領域に関連付けられた燃費情報を用いて算出する。具体的には、図示の例では、推奨されたルート５３は全て一般道路であるため、現在位置から目的地までの走行距離と、一般道路用の燃費情報を用いて、所望の値を求めることになる。また、途中に高速道路を走行する場合には、高速道路の部分と一般道路の部分で分けてそれぞれ燃料費や燃料の消費量を求め、それらを合算した結果を表示することになる。
【００９５】
さらに目的地の推奨経路を求めるに際し、交通関連情報と関連付けた燃費情報を用いる機能を備えると良い。すなわち、推奨経路を求める際のルールとして、一般には、一般道路優先，有料道路優先，時間優先（最も早く到着するルート），距離優先（最も走行距離が短いルート）などがあるが、燃費優先（燃料費優先）のように、目的地までの燃料費が最も安くなるものを推奨ルートに決定する機能を備えると良い。
【００９６】
例えば図１２（ａ）に示すように、一般道路を走行するルート６３ａよりも一部の区間で高速道路を使用するルート６３ｂの方が、燃料費が安くなるので、燃料費優先モードとした場合にはルート６３ｂが推奨ルートとなる。この場合の制御部１８の処理は以下の通りである。制御部１８は、ルート６３ａについて走行する道路の全区間の道路種別を認識する。ここでは、すべての道路が一般道路であるので、制御部１８は、ルート６３ａを走行する道路の全長と、一般道路に関連付けられた燃費を取得し、それらを掛けることでルート６３ａを走行する際に使用する総燃料を算出する。一方、制御部１８は、ルート６３ｂについて走行する道路の全区間の道路種別を認識する。すると、スタート地点から所定位置までの区間は、一般道路であり、その後高速道路になり、続いて一般道路を通って目的地に到達することがわる。そして、制御部１８は、地図情報からルート６３ｂにおける高速道路の走行距離と、一般道の走行距離を求める。さらに、制御部１８は、当該高速道路の走行距離に高速道路用の燃費を掛けて高速道路を走行することにより消費する燃料の量を求めるとともに、当該一般道路の走行距離に一般道路用の燃費を掛けて一般道路を走行することにより消費する燃料の量を求め、それら核燃料の量の総和からルート６３ｂの総燃料を求める。このようにして制御部１８は、候補となる各ルートの総燃料をそれぞれ求めるとともに比較し、最も少ない総燃料のルートを推奨ルートに決定する。
【００９７】
実際の表示画面５０での表示態様としては、指定されたモードにおける最優先のルートのみを表示しても良いし、図１２に示すように、複数のルートを表示するとともにそれぞれのルートについての情報を合わせて表示するようにしても良い。複数のルートを表示した場合、ユーザが表示画面５０上のルートをタッチすることで、タッチパネル３８を介して制御部１８は選択されたルートを認識し、そのルートに基づく案内を開始する。
【００９８】
また、ナビゲーション装置は地図情報を備えていることから、より細かい領域の設定を容易に行うことができる。例えば、地図情報には、各地点の高度情報を持っているため、現在走行中の道路が、登り坂か下り坂かを認識できる。一般に、登り坂はアクセルを踏み込むことから燃費が悪くなり、下り坂はエンジンブレーキを多用することから燃費は良くなる。そこで、上述した道路種別による区分けに加えて、さらに、坂の情報も加味してより細かく領域を分け、各領域に関連付けて燃費情報を記録・管理すると良い。また、同じ一般道路でも、交通量が多く、信号も多い都心（市街地）よりも、それらの少ない郊外の方が燃費はよい傾向にある。また、同じ道路であっても、渋滞しているときは、通常のときよりも燃費は悪くなる。さらにナビゲーションでは、ＶＩＣＳにより渋滞・交通規制に関する情報を取得し、目的地の選択に利用しているので、目的地までの走行ルート上に渋滞が発生している区間があるか否かもわかる。よって、これらの登り坂／下り坂といった坂の情報や、市街地と郊外や、渋滞の有無等が、それぞれ燃費が異なる領域を特定する複数の交通関連情報となる。また、坂の情報や、市街地と郊外の区別は、高速道路と一般道路といった道路種別と同様に、地図データから画一的に設定できるので、交通関連情報の中の地図情報となる。一方、渋滞の有無は地図データから画一的に設定できず、交通関連情報の中の交通の状態となる。
【００９９】
そこで、制御部１８は、燃費情報を記録・管理する際に、上記の各種の条件により設定される領域ごとに関連付けて行い、燃料費優先モードでルート探索を行うと、より詳細でユーザの希望に添ったルートを推奨ルートとして提供することができる。例えば、図１２（ｂ）に示すように、ルート６３ｃとルート６３ｄは、同じ一般道路を走行するルートであり、ルート６３ｄの方が走行距離も長く時間もかかるが、ルート６３ｃでは渋滞が発生していたり、信号や交通量が多かったりしている領域で燃費が悪く、ルート６３ｄの方が推奨ルートとなる。
【０１００】
このように交通関連情報の種類が多くなった場合、どの種類の情報を用いるかは、ユーザの設定により変更できるようにすると良い。すなわち、制御部１８は、例えば初期設定としては、道路種別情報で区分けされる２種類の領域に基づく燃費情報の管理並びにその利用を行うようにし、リモコン１７やスイッチ部３からの指示を受けて、使用する情報を選択し、より詳細な領域での燃費情報の管理並びに利用を行う。
【０１０１】
燃費の算出は、残燃料に基づく補正を行うものに限ることなく、満タン法などと称される従来のように満タンに給油した際の燃料の量に基づいて補正を行うものでもよいし、さらには、補正することなく車両情報から得られる情報をそのまま使用するものなど各種のものを利用することができる。
【０１０２】
また、ナビゲーション装置の場合、詳細な地図データを備えている。従って、燃費に影響を与える要素の区別も、より詳細に設定することで、各箇所で現実にあった適切な予測ができる。
【符号の説明】
【０１０３】
１  ケース本体
２  ソーラーパネル
４  マイクロ波受信器
５  表示部
６  警報ランプ
７  赤外線通信機
８  ＧＰＳ受信器
９  アダプタージャック
１０  電源スイッチ
１２  携帯電話機
１３  メモリカードリーダ
１４  メモリカード
１５  無線受信器
１６  リモコン受信器
１７  リモコン
１８  制御部
１９  データベース
２０  スピーカ
２２  接続ケーブル
２３  コネクタ端子
２４  燃費情報記憶部
４１  ＳＤメモリカード用スロット部
４２  ＳＤメモリカード
【図１】
2015096850.tif 000003
【図２】
2015096850.tif 000004
【図３】
2015096850.tif 000005
【図４】
2015096850.tif 000006
【図５】
2015096850.tif 000007
【図８】
2015096850.tif 000008
【図９】
2015096850.tif 000009
【図１０】
2015096850.tif 000010
【図１１】
2015096850.tif 000011
【図１２】
2015096850.tif 000012
【図６】
2015096850.tif 000013
【図７】
2015096850.tif 000014